(57)【要約】【課題】  流体の経路中に据え付けが可能な、棒を備える磁選機において、各棒の長さ方向に沿った、下流に臨む面の中央から、その棒に一旦付着した異物が、容易に剥がれないようにする。【解決手段】  棒を備える磁選機は、それを支える縁と、その縁に連結され、流体を横切るように配置できる少なくとも一本の中空の棒と、各棒の中に挿入される磁石体とを備えている。本発明によって提供される磁選機においては、各棒が、その棒の長さ方向に沿って窪みを有しており、その窪みは、この磁選機が流体の経路中に据え付けられるとき、その棒の下流に臨む面の中央に位置している。【選択図】  図２Ａ
2009269006.tif 000002
【特許請求の範囲】
【請求項１】
流体の経路中に据え付けが可能な磁選機であって、
磁選機を支える縁と、
その縁に連結され、流体を横切るように配置できる少なくとも一本の中空の棒と、
各棒の中に挿入される磁石体と
を備え、
各棒は、その棒の長さ方向に沿って窪みを有し、その窪みは、磁選機が流体の経路中に据え付けられるとき、その棒の下流に臨む面の中央に位置している
磁選機。
【請求項２】
前記窪みは、各棒の長さ方向に延びる一条の溝である請求項１に記載の磁選機。
【請求項３】
各棒の横断面において、前記窪みが円弧状である請求項１または２に記載の磁選機。
【請求項４】
各棒の横断面が、円形から前記窪みの断面を欠いた形状である請求項１乃至３のいずれかに記載の磁選機。
【請求項５】
各棒の横断面が、二等辺三角形から、底辺の中央に位置する前記窪みの断面を欠いた形状である請求項１乃至３のいずれかに記載の磁選機。
【請求項６】
各棒の横断面が、扇形から、円弧の中央に位置する前記窪みの断面を欠いた形状である請求項１乃至３のいずれかに記載の磁選機。
【請求項７】
各棒から、前記磁石体を抜き取ることが可能である請求項１乃至６のいずれかに記載の磁選機。
【発明の詳細な説明】
【技術分野】
【０００１】
本発明は、流体の経路中に据え付けられ、永久磁石によって流体から異物を除去する磁選機（マグネット・セパレーター）に関し、より詳しくは、流体を横切るように配置される少なくとも一本の中空の棒と、各棒の中に挿入される磁石体を備える磁選機に関する。ここで、流体とは、気体や液体に加え、粉粒体のような、巨視的に見て流れる固体や、固体と液体・気体との混合物を総称している。
【背景技術】
【０００２】
近年、製造業のあらゆる分野において、材料を加工する工程中に、磁性を有する異物を取り除くための磁選機が設置されている。異物が取り除かれるのは、その材料からであったり、材料の加工に用いられる媒体からであったりする。その材料または媒体は、粉粒体、液体など、流動するものに限られるが、その種類は、食品、樹脂、化学薬品、金属など実に多様である。一般に、磁選機は、電磁石を用いるものと、永久磁石を用いるものに大別されるが、永久磁石を用いるものに限っても、取り扱う材料や、異物を取り除く目的などに応じて、形状は様々である。
【０００３】
永久磁石を用いる磁選機の例が、特許文献１に記載されている。特許文献１に記載されているのは、主に、食品業界などで取り扱われる粉粒体から異物を取り除くのに好んで用いられる筒型磁選機である。このような筒型磁選機は、異物の取り除きが確実であるが、磁選機の規模も比較的大きなものに限定され、その取り付けのために経路に沿って相当の長さを必要としてしまう。
【特許文献１】特開２００５−３４７６８５
【０００４】
流体の経路中に据え付けが可能な磁選機の例を、図３Ａ乃至図５に示す。これらの磁選機はいずれも、磁石を内部に備える棒を少なくとも一本有しており、各棒が、材料または媒体の流れを横切るように、経路中に据え付けられる。したがって、これらの磁選機は、前述の筒型磁選機のように、取り付けのために経路に沿って相当の長さを必要としない。
【０００５】
図３Ａを参照すると、磁選機２１は、この磁選機２１を流体の経路に取り付けるための、取手を有する枠２５と、この枠２５に連結される６本の丸い棒２２とからなる。各棒２２の中には、複数の円柱状の磁石（図示されていない）が備えられ、各棒２２の中で、一列に並べられている。これらの磁石は、永久磁石の中では比較的高磁力のネオジュウム磁石である。各棒２２は、両端が枠２５に溶接されて、相互に平行になるように配置されている。
【０００６】
磁選機２１は、各種製造業の加工工程において、材料または媒体が流れる経路に据え付けられて用いられる。枠２５が四角いのは、この経路の断面の形状に沿っているからである。また、経路は、ホッパーやミキサー等の装置における、材料の入口または出口であっても良い。材料または媒体は、粉粒体であっても、液体であっても良く、磁性を有する異物を取り除くことが望まれている。磁選機２１が取り付けられた経路に、材料または媒体が流れると、その材料または媒体が各棒２２の横を通り抜ける間に、異物が各棒２２に引き寄せられる。異物は、各棒２２の表面に付着され、材料または媒体が流れるにつれ、次第にその量が増えていく。磁選機２１は、所定期間使用されると、一旦、経路から取り外され、各棒の表面に付着している異物が取り除かれる。異物は、水等で洗浄したり、拭き取ったり、空気を吹き付けたり、粘着テープなどを用いたりして、各棒の表面から取り除かれる。その後、磁選機２１は、再度、経路に据え付けられる。
【０００７】
図３Ｂを参照すると、磁選機３１は、この磁選機３１を流体の経路に取り付けるための枠３５と、板３６を介してこの枠３５に連結される４本の丸い棒３２とからなる。各棒３２の中には、前記棒２２と同様、複数の円柱状のネオジュウム磁石（図示されていない）が備えられている。枠３５には、この枠を流体の経路に取り付けるためのネジ穴３９が８箇所に開けられている。板３６は、両端が枠３５に溶接されており、各棒３２もその中央部が板３６に溶接されている。枠３５が丸いのは、この磁選機３１が据え付けられる流体の経路の断面の形状に沿っているからである。磁選機３１の使用法は、前述の磁選機２１と同様である。
【０００８】
図３Ｃを参照すると、磁選機４１は、１３本の棒４２および４３と、これら１３本の棒を相互に連結する２枚の板４６とからなる。各棒４２および４３の中には、前記棒２２および３２と同様、複数の円柱状のネオジュウム磁石（図示されていない）が備えられている。１３本の棒４２および４３は、全て相互に平行に配置されて、２枚の板４６に溶接されている。この１３本のうち６本は、細い棒４２であって、同一平面上に配置されている。また、残りの７本は、太い棒４３であって、やはり同一平面上に配置されている。６本の細い棒４２が配置される平面と、７本の太い棒４３が配置される平面とは、相互に平行である。また、磁選機４１を真上から見ると、７本の太い棒４３と、６本の細い棒４２とは、交互に平行に並べられており、かつ、これら１３本の棒と、２枚の板４６とは、全てが一つの円の内側に接するように配置されている。このように細い棒と太い棒を２段に配置することによって、流体の流れに対しての抵抗を高めることなく、異物の捕捉について、棒を緊密に並べたのと同様の効果を得ることができる。磁選機４１が据え付けられる経路には、その据付箇所に、各板４６の両端が嵌め込まれるスリットまたは、各棒４３の両端が嵌め込まれる窪みが設けられている。すなわち、各板４６の両端または各棒４３の両端が、上記枠２５または３５とは異なる形態で、磁選機を支える縁として機能している。
【０００９】
図４Ａおよび図４Ｂを参照すると、磁選機５１は、中空の丸い棒５２と、この棒５２の各端に連結されるフランジ５５と、棒５２の中に挿入される磁石体５４とからなる。磁石体５４は丸い棒であって、その中には、複数の円柱状のネオジュウム磁石（図示されていない）が備えられ、磁石体５４の中で、一列に並べられている。更に、磁石体５４の一端には、取手５７とストッパー５８とが備えられている。２つのフランジ５５は、この磁選機５１を流体の経路に取り付けるために用いられる。磁石体５４は、取手５７を把持して、容易に棒５２から引き抜いたり、棒５２の中に挿入したりすることが可能である。磁石体５４は、ストッパー５８がフランジ５５と接触するまで、棒５２の中に挿入される。磁選機５１も、棒５２が流れを横切るように流体の経路に取り付けられて用いられる。経路の所定の箇所に、磁選機５１と同じものを複数個配置しても良い。磁選機５１の、磁石体５４の中に備えられる磁石以外の部品は全て、ＳＵＳ３０４という磁石に引き付けられないステンレス鋼で作られている。したがって、磁選機５１を経路から取り外した後、磁石体５４を棒５２から引き抜けば、棒５２に付着している異物に磁力が働かなくなり、棒５２の洗浄が極めて容易になる。
【００１０】
図５を参照すると、磁選機６１は、この磁選機６１を流体の経路に取り付けるための枠６５と、この枠６５に連結される７本の中空の丸い棒６２とからなる。各棒６２は、両端が枠６５に溶接されて、相互に平行になるように配置されている。各棒６２の一方の側において、枠６５は、各棒６２の内部につながる開口を有し、その開口を経て各棒６２の中には、磁石体６４が挿入されている。各磁石体６４は丸い棒であって、その中には、複数の円柱状のネオジュウム磁石（図示されていない）が備えられ、各磁石体６４の中で、一列に並べられている。真ん中の３本の棒６２にそれぞれ挿入される３本の磁石体６４は、板６８によって相互に連結されている。また、その両側の２組の２本の棒６２についても、各組の２本の棒６２にそれぞれ挿入される２本の磁石体６４が、板６８によって相互に連結されている。磁選機６１の、各磁石体６４の中に備えられる磁石以外の部品は全て、ＳＵＳ３０４で作られている。したがって、磁選機６１を経路から取り外した後、各磁石体６４を各棒６２から引き抜けば、各棒６２に付着している異物に磁力が働かなくなり、各棒６２の洗浄が極めて容易になる。各板６８によって、複数本（２本または３本）の磁石体６４が同時に枠６５から引き抜ける。また、各板６８は、各棒６２を枠６５に挿入する際のストッパーとしても作用する。
【００１１】
以上の磁選機２１、３１、４１、５１および６１においては、従来技術によると、それぞれ使用されている棒２２、３２、４２、４３、５２および６２の断面は、前述の通り全て円形である。あるいは、従来技術による他の磁選機には、各棒の断面が、いずれかの頂点が上流に向けられている凸多角形のものもあり、典型的には、頂角が上流に向けられている二等辺三角形である。例えば、断面が、正三角形であったり、頂角が直角の二等辺三角形であったりする棒が、その断面の三角形の頂角が上流を向く方向に、磁選機に取り付けられている。
【発明の開示】
【発明が解決しようとする課題】
【００１２】
従来技術による棒を備える磁選機は、断面が円形の棒であっても、三角形またはそれ以外の凸多角形の棒であっても、基本的には同じ問題を有している。図６Ａおよび図６Ｂを参照して、この問題を以下に説明する。
【００１３】
図６Ａおよび図６Ｂは、従来技術による磁選機で使用されている棒を示す断面図であり、図６Ａにおいては、棒１５の断面が円形であり、図６Ｂにおいては、棒１６の断面が正三角形（頂角が６０度の二等辺三角形）である。棒１５は、前述の棒２２、３２、４２、４３、５２および６２のいずれでもあり得る。図６Ａおよび図６Ｂの各図において、棒１５または１６を備える磁選機は、流体の経路中に据え付けられて使用されている。矢印は、そのときの材料または媒体の流れを示し、黒点８１および８２は、その材料または媒体に含まれていた異物を示す。異物８１は、磁力によって棒１５または１６の表面に捉えられているが、異物８２は、一旦、棒１５または１６の表面に捉えられた後、そこから遊離しつつある。
【００１４】
この磁選機の棒１５または１６において、異物８１は、磁力によって棒１５または１６の表面に付着している。流体の影響を受けるため、付着する量は、棒１５または１６の上流側よりも下流側のほうが多くなっている。すなわち、一旦は棒１５または１６の上流側に付着した場合でも、流れる材料または媒体によって、異物８１は下流側に押しやられてしまう。そうして、棒１５または１６の表面のうち、下流に面する部分の中央に最も多量の異物８１が付着している。この部分の異物８１は、流れる材料または媒体によって両側から押され続けていることに注意する。やがて、付着する異物８１がある量を超えると、下流に面する部分の中央からその一部が剥がされて、異物８２として、再度流れに乗って遊離する。これは、断面が円形の棒１５でも、断面が正三角形の棒１６でも、同様に起こり得る。
【課題を解決するための手段】
【００１５】
本発明の目的は、流体の経路中に据え付けが可能な、棒を備える磁選機において、各棒の長さ方向に沿った、下流に臨む面の中央から、その棒に一旦付着した異物が、容易に剥がれないようにすることである。ここで、棒を備える磁選機は、それを支える縁と、その縁に連結され、流体を横切るように配置できる少なくとも一本の中空の棒と、各棒の中に挿入される磁石体とを備えている。そうして、前述の目的を達成するために、本発明によって提供される磁選機においては、各棒は、その棒の長さ方向に沿って窪みを有し、その窪みは、磁選機が流体の経路中に据え付けられるとき、その棒の下流に臨む面の中央に位置している。
【００１６】
本発明において、流体とは、気体や液体に加え、粉粒体のような、巨視的に見て流れる固体や、固体と液体・気体との混合物を総称している。すなわち、本発明の流体には、食品、薬品、飼料、その他の加工品の原材料や、ワイヤーカット・放電加工機・研磨機・旋盤・ＭＣ機械などで、材料を加工する油槽・水槽内の媒体なども含まれる。なお、この媒体には、加工の際に発生する、材料の切粉やスラッジが異物として含まれる。
【００１７】
本発明において、磁石体とは、少なくとも一つの磁石を有し、周囲に磁力線が走る部材である。磁石そのものであっても良い。通常の磁石体においては、複数の磁石の組み合わせによって、出来るだけ遠くまで磁力線が走るように設計されている。棒を備える磁選機において、例えば、各棒の中では、その棒と断面の形状が同じ柱体の磁石が、複数個一列に並べられているが、典型的には、隣り合う柱体のＮ極同士、Ｓ極同士が向き合わされている。個々の磁石体は、中空の棒の中で配列されているだけの複数の磁石であっても良いし、棒とは別の、複数の磁石を収容する一つの部材として構成されても良い。
【００１８】
好ましくは、前記窪みは、各棒の長さ方向に延びる一条の溝である。また、好ましくは、各棒の横断面において、前記窪みは円弧状である。
【００１９】
好ましくは、各棒の横断面は、円形から前記窪みの断面を欠いた形状、二等辺三角形から底辺の中央に位置する前記窪みの断面を欠いた形状、または扇形から円弧の中央に位置する前記窪みの断面を欠いた形状である。
【００２０】
更に、好ましくは、各棒から、前記磁石体を抜き取ることが可能である。
【発明の効果】
【００２１】
本発明による磁選機においては、各棒の表面に付着する異物が、流体によって下方に押しやられ、下流に臨む面の中央に到達すると、その棒が有している窪みに入り込む。この位置では、異物は、流体によって両側から押されることが無いため、棒の表面から剥がれ難い。その結果、本発明の磁選機によると、従来技術の磁選機よりも、ずっと確実に、材料または媒体から異物を取り除くことが可能になる。
【００２２】
このような棒の窪みは、各棒の長さ方向に延びる一条の溝として提供すると、磁選機の製造が容易である。また、材料または媒体から、各棒の長さ方向に渡って均質に異物を取り除くことができる。更には、磁選機を経路から取り外して洗浄するとき、各棒の表面から異物を取り除くのも比較的容易となる。各棒の横断面の形状についてみると、窪みが円弧状であるとき、特に、窪みの底から異物を取り除くのが容易になり、各棒の洗浄が効率よく行われるものとなる。
【００２３】
各棒の横断面は、典型的には、円形から前記窪みの断面を欠いた形状であるか、三角形から、底辺の中央に位置する前記窪みの断面を欠いた形状であり、各棒がこのような形状であるとき、磁選機の設計や製造が容易である。
【００２４】
各棒から、磁石体を抜き取ることが可能であれば、磁選機の洗浄に際して、各棒から、磁石体を抜き取ればよい。こうすれば、各棒の表面に付着した異物に磁力が作用しなくなるので、各棒の表面から容易に異物を取り除くことができる。
【発明を実施するための最良の形態】
【００２５】
以下、図面を参照して、本発明の好ましい実施例を詳細に説明する。本発明の各実施例による磁選機の外観は、各棒２２、３２、４２、４３、５２および６２の形状を除けば、図３Ａ乃至図５の各磁選機２１、３１、４１、５１および６１と実質的に同じである。各実施例で使用されている磁石も、磁選機２１、３１、４１、５１および６１で用いられているのと同じネオジュウム磁石である。本発明の各実施例は、これら磁選機における、各棒の形状によって特徴付けられるものであり、それらの棒の本数、配置、材料、あるいは枠またはフランジ等の形状や材料については、従来技術の磁選機２１、３１、４１、５１および６１と変わるところが無い。また、各棒の形状はその断面によって特徴付けられるので、各棒の断面の形状が同じであれば、磁選機の概観が異なっていても同じ実施例であると見做してよい。そうして、各棒の断面の形状によって、以下の実施例１乃至実施例４が得られている。
【実施例１】
【００２６】
実施例１による磁選機は、図３Ａ乃至図５の各磁選機２１、３１、４１、５１および６１と実質的に概観が同じ磁選機の集合で、各棒２２、３２、４２、４３、５２および６２が、断面が円形の棒ではなく、断面が図１Ａに示される形状を有する棒１１である。棒１１は、断面が全体として円形であるが、磁選機が流体の経路中に据え付けられるとき下流に臨む面の中央に、断面が円弧状の窪み７１を有する。窪み７１は、棒１１の長さ方向に沿って延びる一条の溝である。
【００２７】
棒１１を備える磁選機を流体の経路中に据え付けて使用するときの、棒１１の断面を図２Ａに示す。図２Ａにおいて、矢印は、流体となる材料または媒体の流れを示し、黒点８１は、その材料または媒体に含まれていた異物を示す。異物８１は、磁力によってこの棒１１の表面に捉えられて、そこに付着しているが、流体の影響を受けるため、付着する量は、棒１１の上流側よりも下流側のほうが多くなっている。すなわち、一旦は異物８１が棒１１の上流側に付着した場合でも、異物８１は流体によって下流側に押しやられてしまう。そうして、異物８１が、棒１１の表面のうち、下流に面する部分の中央まで到達すると、窪み７１に入り込む。この状態では、異物８１は、流体によって両側から押されても、更に窪み７１の奥に入り込むだけである。そうすると、窪み７１から溢れ出るほどまでに大量の異物８１が棒の表面に付着しない限り、流れに影響されて、異物８１が棒１１の表面から剥離することは無い。
【００２８】
所定期間使用されると、磁選機が流体の経路から取り外され、各棒１１の表面に付着している異物８１が取り除かれる。異物８１は、水等で洗浄したり、拭き取ったり、空気を吹き付けたり、粘着テープなどを用いたりして、各棒１１の表面から取り除かれる。窪み７１は、棒１１の長さ方向に沿った溝であるので、窪み７１の底に付着した異物８１でも、長さ方向に容易に拭き取ることが可能である。特に、窪み７１は円弧状であるので、異物８１は、窪み７１の底から横方向にも容易に移動し、簡単に棒１１の表面から取り除かれる。
【００２９】
実施例１による磁選機が、図４Ａ乃至図５の各磁選機５１および６１のいずれかと同様であれば、各棒１１から、磁石体を抜き取ることが可能である。このとき、各棒１１は、一様の厚みを有する筒または鞘であって、その中空部と同形の磁石体が、各棒１１の中に収められる。前述の通り、各磁石体の中には、複数の柱状のネオジュウム磁石（図示されていない）が、一列に並べられている。そうすると、磁選機を洗浄する際に、各棒１１から磁石体を抜き取れば、異物８１に磁力が作用しなくなり、各棒１１の表面から異物８１を容易に取り除くことができる。洗浄して異物８１を取り除いた後、磁選機は、再度、経路に据え付けられる。
【実施例２】
【００３０】
実施例２による磁選機は、図３Ａ乃至図５の各磁選機２１、３１、４１、５１および６１と実質的に概観が同じ磁選機の集合で、各棒２２、３２、４２、４３、５２および６２が、断面が円形の棒ではなく、断面が図１Ｂに示される形状を有する棒１２である。棒１２は、断面が全体として正三角形であるが、磁選機が流体の経路中に据え付けられるとき下流に臨む面の中央に、断面が円弧状の窪み７２を有する。窪み７２は、棒１２の長さ方向に沿って延びる一条の溝である。
【００３１】
棒１２を備える磁選機を流体の経路中に据え付けて使用するときの、棒１２の断面を図２Ｂに示す。図２Ｂにおいて、矢印は、流体となる材料または媒体の流れを示し、黒点８１は、その材料または媒体に含まれていた異物を示す。異物８１は、上記実施例１と同様に、磁力によってこの棒１２の表面に捉えられ、更に、棒１２の表面のうち、下流に面する部分の中央まで到達した異物８１は、窪み７２に入り込む。そうすると、異物８１は、流体に押されても、窪み７２の中に押しやられるだけで、棒１２の表面から剥離することは無い。所定期間使用されると、上記実施例１と同様に、磁選機が流体の経路から取り外され、各棒１２の表面に付着している異物８１が取り除かれる。実施例２による磁選機が、図４Ａ乃至図５の各磁選機５１および６１のいずれかと同様に、各棒１２から、磁石体を抜き取ることが可能である場合についても、そのような磁選機の構成や用法は、前記実施例１において対応する磁選機のものと同じである。
【実施例３】
【００３２】
図１Ｃは、実施例３による磁選機に備えられている各棒１３の断面を示す。各棒１３の断面は、全体として円形であって、その一部に、窪み７３に対応する凹みが設けられている。図１Ｃに示されているように、各棒１３における窪み７３の断面はＶ字状である。この点において、実施例３による磁選機は、各棒１１における窪み７１の断面が円弧状である実施例１による磁選機と相違しているが、この点を除けば、両者は実質的に同じものである。棒１３を備える磁選機を流体の経路中に据え付けて使用するときに、異物８１が棒１３に捉えられる様子も、磁選機を所定期間使用した後に、異物８１を取り除く方法も、基本的には、実施例１による磁選機と同じである。ただし、窪み７３の底に付着した異物８１は、窪み７１の底に付着した異物８１に比べると、横方向には移動し難く、その分、棒１１の方が、棒１３よりも異物８１の洗浄を行い易いと云える。しかし、棒１３の方が、棒１１よりも製造が容易であるという利点はある。実施例１と同様に、洗浄して異物８１を取り除いた後、磁選機は、再度、経路に据え付けられる。
【実施例４】
【００３３】
図１Ｄは、実施例４による磁選機に備えられている各棒１４の断面を示す。各棒１４の断面は、全体として正三角形であって、底辺に、窪み７４に対応する凹みが設けられている。図１Ｄに示されているように、各棒１４における窪み７４の断面はＶ字状である。この点において、実施例４による磁選機は、各棒１２における窪み７２の断面が円弧状である実施例２による磁選機と相違しているが、この点を除けば、両者は実質的に同じものである。棒１４を備える磁選機を流体の経路中に据え付けて使用するときに、異物８１が棒１４に捉えられる様子も、磁選機を所定期間使用した後に、異物８１を取り除く方法も、基本的には、実施例２による磁選機と同じである。ただし、窪み７４の底に付着した異物８１は、窪み７２の底に付着した異物８１に比べると、横方向には移動し難く、その分、棒１２の方が、棒１４よりも異物８１の洗浄を行い易いと云える。しかし、棒１４の方が、棒１２よりも製造が容易であるという利点はある。実施例２と同様に、洗浄して異物８１を取り除いた後、磁選機は、再度、経路に据え付けられる。
【００３４】
前述の実施例１乃至実施例４から分かるとおり、本発明による棒を備える磁選機は、あらゆる形で実現が可能である。構成要素となる棒の本数、形状、大きさ、また各棒に設けられる窪みの形状、大きさについても様々なものが使用でき、また、枠やフランジなどの形状や大きさ等も多々変形が可能であることが明らかである。特に、各棒の断面についても、円形や二等辺三角形に限られること無く、種々の形状が可能である。例えば、各棒の窪みを除く断面を、円弧が下流に臨む扇形としても良い。磁選機を構成するための材料についても特に限定されるものではなく、例えば、ＳＵＳ３０４以外の、磁石に引き付けられないステンレス鋼ＳＵＳ３１６も好ましく用いられる。更に、これらの実施例においては、各棒の中に複数個の磁石を用いているが、その個数や、磁石の種類等は、従来技術による磁選機と同様、周知のものを適宜組み合わせることが可能であることも明白である。例えば、ネオジュウム磁石に代えて、フェライト磁石、サマリュウムコバルト磁石、アルニコ磁石等を用いることも可能である。
【００３５】
以上のとおり、本発明は、実施例１乃至実施例４に基づいて説明されているが、本発明は、これらの実施例に限定されるものではない。本明細書の記述に基づいて、これら実施例１乃至実施例４を更に変形することは、当業者であれば任意に行い得ることは明らかである。本発明の範囲は、特許請求の範囲の記載によって定義されており、特許請求の範囲の記載と意味が均等である発明および、発明の範囲内に含まれる実施例および変形例を全て含むことを意図するものである。
【図面の簡単な説明】
【００３６】
【図１Ａ】本発明の実施例１による棒を備える磁選機の各棒を示す断面図である。
【図１Ｂ】本発明の実施例２による棒を備える磁選機の各棒を示す断面図である。
【図１Ｃ】本発明の実施例３による棒を備える磁選機の各棒を示す断面図である。
【図１Ｄ】本発明の実施例４による棒を備える磁選機の各棒を示す断面図である。
【図２Ａ】本発明の実施例１による磁選機を流体の経路中に据え付けたときの、各棒を概略的に示す断面図である。
【図２Ｂ】本発明の実施例２による磁選機を流体の経路中に据え付けたときの、各棒を概略的に示す断面図である。
【図３Ａ】一般的な、棒を備える磁選機の一例を示す斜視図である。
【図３Ｂ】一般的な、棒を備える磁選機の別の例を示す斜視図である。
【図３Ｃ】一般的な、棒を備える磁選機の更に別の例を示す斜視図である。
【図４Ａ】一般的な、棒を備える磁選機のなおも別の例であって、磁石体が棒の中に収められている状態を示す斜視図である。
【図４Ｂ】図３Ａの磁選機において、磁石体が棒から引き抜かれている状態を示す斜視図である。
【図５】一般的な、棒を備える磁選機の一例であって、一部の棒から磁石体が少しだけ引き抜かれている状態を示す斜視図である。
【図６Ａ】従来技術による、断面が円形の棒を備える磁選機を流体の経路中に据え付けたときの、各棒を概略的に示す断面図である。
【図６Ｂ】従来技術による、断面が三角形の棒を備える磁選機を流体の経路中に据え付けたときの、各棒を概略的に示す断面図である。
【符号の説明】
【００３７】
１１、１２、１３、１４、２２、３２、４２、４３、５２、６２    棒
７１、７２、７３、７４                                        窪み（溝）
２１、３１、４１、５１、６１                                  磁選機
２５、３５、６５                                              枠
３６、４６、６８                                              板
３９                                                          ネジ穴
５４、６４                                                    磁石体
５５                                                          フランジ
５７                                                          取手
５８                                                          ストッパー
８１、８２                                                    異物
【図１Ａ】
2009269006.tif 000003
【図１Ｂ】
2009269006.tif 000004
【図１Ｃ】
2009269006.tif 000005
【図１Ｄ】
2009269006.tif 000006
【図２Ａ】
2009269006.tif 000007
【図２Ｂ】
2009269006.tif 000008
【図３Ａ】
2009269006.tif 000009
【図３Ｂ】
2009269006.tif 000010
【図３Ｃ】
2009269006.tif 000011
【図４Ａ】
2009269006.tif 000012
【図４Ｂ】
2009269006.tif 000013
【図５】
2009269006.tif 000014
【図６Ａ】
2009269006.tif 000015
【図６Ｂ】
2009269006.tif 000016